(57)【特許請求の範囲】
【請求項１】
供給されるディジタル放送信号を受信する受信手段と、
上記ディジタル放送信号を受信するために使用可能な受信パラメータを初期設定値として入力する入力手段とを有し、
上記受信パラメータが変更された場合には、ユーザに上記変更を告知し、上記変更に対応する新たな初期設定値を上記入力手段によって入力し、
上記初期設定値の下での上記受信手段の動作によって受信される上記ディジタル放送信号に含まれる受信パラメータに係る情報を取得し、取得した上記受信パラメータに係る情報に従って、チャンネルの切替処理に伴う受信パラメータの設定を自動的に行い、
上記受信パラメータに係る情報は、ＮＩＴである受信装置。
【請求項２】
請求項１において、
上記ディジタル放送信号は、
ディジタルＣＳ放送信号を再送信するディジタルケーブル放送におけるディジタルケーブル放送信号であることを特徴とする受信装置。
【請求項３】
請求項１において、
取得した上記受信パラメータに係る情報を所定の記憶手段に記憶し、
上記チャンネルの切替処理に際して、上記記憶手段から上記受信パラメータに係る情報を読み出すことを特徴とする受信装置。
【請求項４】
請求項１において、
上記受信パラメータに係る情報を所定の記憶手段に記憶し、
上記チャンネルの切替処理が行われる毎に、上記ディジタル放送信号から上記受信パラメータに係る情報を取得することを特徴とする受信装置。
【請求項５】
供給されるディジタル放送信号を受信するために使用可能な受信パラメータを初期設定値として入力するステップと、
上記受信パラメータが変更された場合に、ユーザに上記変更を告知し、上記変更に対応する新たな初期設定値を入力するステップと、
上記初期設定値の下で上記ディジタル放送信号を受信する受信ステップと、
上記受信ステップによって受信された上記ディジタル放送信号に含まれる受信パラメータに係る情報を取得するステップとを有し、
取得した上記受信パラメータに係る情報に従って、チャンネルの切替処理に伴う受信パラメータの設定を自動的に行い、
上記受信パラメータに係る情報は、ＮＩＴである受信方法。
【発明の詳細な説明】
【０００１】
【発明の属する技術分野】
この発明は、例えばディジタルＣＳ放送信号等の再送信を行うディジタルケーブ放送等に用いて好適な受信装置および受信方法に関する。
【０００２】
【従来の技術】
現行のケーブル放送においては、地上波放送、ＢＳ（Broadcasting Satellite) 放送およびＣＳ（Communication Satellite)放送等のオリジナル素材の再送信が行われる。アナログケーブル放送では、どのオリジナル素材の再送信でも同一の変調方式で再送信されるので、受信装置側での復調処理において変調方式に配慮する必要はない。
【０００３】
また、近年、ディジタルＣＳ放送のサービスが開始され，これに伴ってケーブル放送のディジタル化が進められている。ディジタルＣＳ放送を再送信するディジタルケーブル放送においては、ディジタル変調方式として６４ＱＡＭ(Quadrature Amplitude Modulation) 方式が採用されている。このため、ディジタルＣＳ放送のみを再送信するディジタルケーブル放送においては、受信装置側では６４ＱＡＭ方式に対応する変調を行えばよく、変調方式に配慮した復調処理を行う必要はない。
【０００４】
【発明が解決しようとする課題】
ディジタルＣＳ放送においてＣＳの送信出力アップに伴い、ビタビ符号のレートを少なくしてデータ伝送レートを上げることが検討されており、これに対応してケーブルでの再送信を行う際の変調方式として６４ＱＡＭ以外のものを採用する必要が生じる可能性がある。
【０００５】
また、ディジタルＢＳ放送、ディジタル地上波放送等が開始された、ディジタルケーブル放送においてこれらの放送信号をも再送信する場合には、各放送信号における変調方式に適応して、ディジタルケーブル放送において複数種類の変調方式が使用されることになり、受信装置側で複数種類の変調方式に配慮した復調処理を行う必要が生じる。
【０００６】
従って、この発明の目的は、変調方式、周波数等の伝送諸元が異なる複数種類のディジタル放送信号に対して、復調等の受信処理を的確に行うことが可能な受信装置および受信方法を提供することにある。
【０００７】
【課題を解決するための手段】
請求項１の発明は、供給されるディジタル放送信号を受信する受信手段と、
ディジタル放送信号を受信するために使用可能な受信パラメータを初期設定値として入力する入力手段とを有し、
受信パラメータが変更された場合には、ユーザに変更を告知し、変更に対応する新たな初期設定値を入力手段によって入力し、
初期設定値の下での受信手段の動作によって受信されるディジタル放送信号に含まれる受信パラメータに係る情報を取得し、取得した受信パラメータに係る情報に従って、チャンネルの切替処理に伴う受信パラメータの設定を自動的に行い、
受信パラメータに係る情報は、ＮＩＴである受信装置である。
【０００９】
請求項５の発明は、供給されるディジタル放送信号を受信するために使用可能な受信パラメータを初期設定値として入力するステップと、
受信パラメータが変更された場合に、ユーザに変更を告知し、変更に対応する新たな初期設定値を入力するステップと、
初期設定値の下でディジタル放送信号を受信する受信ステップと、
受信ステップによって受信されたディジタル放送信号に含まれる受信パラメータに係る情報を取得するステップとを有し、
取得した受信パラメータに係る情報に従って、チャンネルの切替処理に伴う受信パラメータの設定を自動的に行い、
受信パラメータに係る情報は、ＮＩＴである受信方法である。
【００１１】
以上のような発明によれば、ユーザによる入力等により、または予めメモリに記憶された複数個の受信パラメータ中からの試行錯誤による選択により、ディジタルケーブル放送信号等のディジタル放送信号を受信するために使用可能な受信パラメータが設定され、このようにして設定される受信パラメータの下で受信されたディジタル放送信号中から取得されるＮＩＴ等の受信パラメータに係る情報に従って、チャンネルの切替処理に伴う受信パラメータの設定が自動的に行われる。
【００１２】
【発明の実施の形態】
ディジタルＣＳ放送のサービスが既に開始されており、ディジタルＣＳ放送を再送信するディジタルケーブル放送が行われている。ここで、ディジタルケーブル放送の伝送路と受信装置側の構成について簡単に説明する。例えば、受信装置側においては、セットトップボックスと称される専用のアダプタが用いられる。セットトップボックスは、例えば、チューナ回路、ＱＡＭ受信回路、誤り訂正回路、ＭＰＥＧ(Moving Picture Experts Group)に対応したデコーダ、ＮＴＳＣ(National Television System Committee)方式に従うエンコーダ、オーディオデコーダ、Ｄ／Ａ変換器、ホストプロセッサ、スイッチ回路等により構成されており、テレビジョン受像機の上に載置して用いられる。また、セットボックスまでの伝送路としては、例えば、同軸ケーブルによってテレビジョン放送を配信する従来のケーブル放送網がそのまま利用される。
【００１３】
ディジタルケーブル放送局においては、ディジタル化された映像情報が蓄積されている映像データベースが設けられており、映像データベースの映像情報が６４値ＱＡＭ変調器を介してミキサの一方の入力端子に供給される。また、既設のアナログケーブル放送局からアナログのテレビジョン放送信号がミキサの他方の入力端子に供給される。ミキサにおいてディジタルのＱＡＭ変調出力と、アナログのテレビジョン放送信号とが混合され、ミキサの出力が光送信機に供給される。光送信機において所定の変調方式でミキサの出力が変調され、光ファイバを介して光受信機に供給される。光受信機において受信出力が復調され、この復調出力が中継器としての複数のアンプおよびその間を繋ぐ同軸ケーブルを介して契約先の各家庭に配信される。
【００１４】
家庭内に引き込まれた同軸ケーブルに対して各映像機器が接続される。例えば、一つの接続形態として、同軸ケーブルがＶＴＲ(Video Tape Recoder)に接続され、さらに、ＶＴＲにテレビジョン受像機が接続される。また、他の接続形態として、同軸ケーブルがセットトップボックスに接続され、さらに、セットトップボックスにテレビジョン受像機が接続される。このセットトップボックスを用いた接続形態の場合には、従来のアナログのケーブル放送と、ディジタルケーブル放送を選択的に視聴することが可能とされる。
【００１５】
ディジタルＣＳ放送では、ディジタル変調方式としてＱＰＳＫ（４相位相変調）方式が採用されている。例えば、ディジタルＣＳ放送の一つである「SkyPerfecTV!」の場合においては、２７ＭHzの帯域で伝送されており、ビタビ符号と称される誤り訂正符号を含んだ全データ伝送レートが42.192Ｍbps 、ビタビ符号を除いたレートが31.644Ｍbps に規定されている。このようなディジタルＣＳ放送を再送信するディジタルケーブル放送においては、伝送帯域が６ＭHzであることと、ケーブルのＣ／ＮがＣＳ放送のＣ／Ｎの比べてかなり良好なため、ビタビ符号を含まない６４値ＱＡＭは変調方式として用いられる。
【００１６】
ＱＡＭは、直交振幅変調と呼ばれるディジタル変調方式の一つで、直交する二つのキャリア（ＩとＱ）のそれぞれを多値にディジタル振幅変調し、ＩとＱとを加算して送信する方式である。また、６４値ＱＡＭは、ＩとＱが８値にディジタル振幅変調されており、ＩＱ平面上に６４個のデータが展開されるため、このように呼ばれる。この６４値ＱＡＭ変調方式を用いて31.644Ｍbps のデータを変調することで、ケーブルの伝送帯域６ＭHzで伝送することが可能とされる。
【００１７】
ところで、ディジタルＣＳ放送では、ＣＳの送信出力アップに伴い、ビタビ符号のレートを少なくしてデータ伝送レートを上げることが検討されており、このような場合にケーブルでの再送信を行うに際しては以下のような問題がある。すなわち、この場合、６４ＱＡＭを用いると６ＭＨｚの帯域を越えてしまうので、さらに多値の１２８ＱＡＭあるいは２５６ＱＡＭを用いて変調を行う必要がある。図１Ａ，図１Ｂおよび図１Ｃに、それぞれ、６４ＱＡＭ、１２８ＱＡＭおよび２５６ＱＡＭによって変調されたディジタル信号のＱＩ平面上のデータ配列を示す。
【００１８】
また、ディジタルＢＳ放送、地上波ディジタル放送等、ディジタルＣＳ放送以外のディジタルサービスが開始された場合に、それらのディジタルサービスを再送信するディジタルケーブル放送において６４ＱＡＭ以外の変調方式を用いる必要が生じる可能性もある。
【００１９】
そこで、この発明は、変調方式、周波数等が異なる複数種類のディジタル放送信号を、１台のディジタル受信装置によって的確に受信することができるようにしたものである。図２に、この発明の一実施形態である、ディジタルケーブル放送の受信装置の全体構成の一例を示す。ディジタルケーブル放送網の同軸ケーブルが接続された入力端子１を介してディジタルケーブル放送信号がフロントエンド部２に入力する。フロントエンド部２は、受信した信号の中から、ホストプロセッサ５からの制御情報に基づいて所定の搬送波を選局する。
【００２０】
さらに、フロントエンド部２は、送信側においてなされた変調処理に対応した復調処理を行うと共に、送信側においてなされた符号化処理に応じた誤り訂正処理を行う。このような処理によって得られるトランスポート・ストリームがトランスポート部３に供給される。トランスポート部３は、デスクランブラ３１、デマルチプレクサ３２等を有する。デスクランブラ３１は、ホストプロセッサ５からの制御情報に基づいて、分離した信号成分が送信側でスクランブル処理が施されたものである場合にデスクランブル処理を施す。このデスクランブル処理により、視聴されるべきビデオデータおよび／またはオーディオデータにＭＰＥＧ圧縮符号化が施されてなるＭＰＥＧ圧縮符号化信号が復元される。
【００２１】
デスクランブラ３１の出力は、デマルチプレクサ３２に供給される。デマルチプレクサ３２は、デスクランブラ３１の出力の内から、ホストプロセッサ５からの制御情報に基づいて、ビデオデータおよび／またはオーディオ等の必要なパケットの分離・抽出処理を行う。かかる処理により、トランスポート・ストリーム内に多重された各チャンネルから所望のチャンネルに係るＰＥＳ（Packetized Elementary Stream) と呼ばれる形式の個別パケットが分離される。
【００２２】
トランスポート部３による上述の処理の結果として得られる、分離されたチャンネルのＭＰＥＧ圧縮されたビデオデータおよび／またはオーディオデータがＭＰＥＧデコード部４に供給される。ＭＰＥＧデコード部４は、ホストプロセッサ５からの制御情報に基づいて、送信側においてなされた処理に応じた復号処理等を行ってアナログの映像出力を形成すると共に、音声出力を形成する。ＭＰＥＧデコード部４は、ビデオデコーダ４１、オーディオデコーダ４２、ＮＴＳＣエンコーダ４３、Ｄ／Ａ変換器４４等を有する。デマルチプレクサ３２で分離されたＰＥＳ形式の個別パケットがビデオデコーダ４１および／またはオーディオデータデコーダ４２に供給される。
【００２３】
ビデオデコーダ４１において、ＭＰＥＧ圧縮された信号に対して復号処理がなされ、この復号出力がＮＴＳＣエンコーダ４３を介されることで再生映像信号が形成される。この再生映像信号が出力端子９を介して取り出される。一方、オーディオデコーダ４２において、ディジタル・オーディオ信号が形成され、このディジタル・オーディオ信号がＤ／Ａ変換器２０を介されることでアナログの左右両チャンネルの再生オーディオ信号とされる。この再生オーディオ信号が出力端子１０を介して取り出される。
【００２４】
なお、出力端子９および１０を介して取り出された再生映像信号と再生オーディオ信号とが、例えば、図示せずもＲＦ変調器に供給され、ＲＦ変調器において、再生映像信号と再生オーディオ信号とがＲＦ変調されて再生テレビジョン信号が形成され、この再生テレビジョン信号がテレビジョン受像機のアンテナ端子に供給される。
【００２５】
また、上述したように各部を制御するホストプロセッサ５と、フロントエンド部２と、トランスポート・ストリーム部３と、ＭＰＥＧデコード部４とは、バスにより接続されており、双方向にデータの授受が可能とされている。また、ホストプロセッサ５には、各種設定スイッチやテンキー等を有した操作入力部７が接続されており、操作入力部７からの設定情報が供給される。従って、ホストプロセッサ５は、操作入力部７の操作状態に応じた設定情報を不揮発性メモリ６に格納すると共に、随時必要に応じて不揮発性メモリ６に格納されているデータを読み出して制御情報を形成し、この制御情報を各部に供給することで各部を集中管理する。
【００２６】
次に、フロントエンド部２についてより詳細に説明する。フロントエンド部２は、チューナ２１、ＱＡＭ復調回路２２、誤り訂正回路２３等を有する。チューナ２１は、入力端子１を介して供給されるディジタルケーブル放送信号を受け取り、受け取った信号から所望の搬送波を選局し、選局した搬送波を中間周波信号に変換する。チューナ２１の出力である中間周波信号がＱＡＭ復調回路２２に供給される。ＱＡＭ復調回路２２は、供給される中間周波信号に対して送信側においてなされた変調処理に対応したＱＡＭ復調処理を施すことにより、ベースバンドのディジタル・データを形成する。ＱＡＭ復調回路２２の出力であるベースバンドのディジタル・データが誤り訂正回路２３に供給される。誤り訂正回路２３は、供給されるディジタル・データに対して、送信側においてなされた符号化処理に応じた誤り訂正処理を施す。誤り訂正回路２３の出力として、トランスポート・ストリーム出力が形成される。
【００２７】
具体的には、フロントエンド部２から出力されるトランスポート・ストリームは、ＭＰＥＧシステムで定義されているビット列で、１８８バイトの固定長パケットの集合で構成されている。それぞれのパケットは、ヘッダと特定の個別パケットに付加情報を入れるためのアダプテーションフィールドとパケットの中身（ビデオ／オーディオ等）を表すペイロードからなり、ヘッダは、４バイトで構成され、必ず先頭には同期バイトが配され、そのパケットの識別情報であるＰＩＤ（Packet ID)、スクランブルの有無、後続するアダプテーションフィールドやペイロードの有無等の制御情報が格納されている。
【００２８】
これらの制御情報に基づいてデスクランブラ３１において、パケット単位でデスクランブルがなされる。そして、デマルチプレクサにおいて、ビデオ／オーディオ／データ等の必要パケットの分離・抽出がなされる。デマルチプレクサ３２において分離・抽出された各パケットがＭＰＥＧデコード部４に供給される。なお、デスクランブラ３１の出力が高速データ出力として端子８を介して取り出される。
【００２９】
この発明の一実施形態における選局処理について以下に説明する。ディジタルＣＳ放送等における一般的な選局処理においては、トランスポート・ストリーム内のＰＳＩ（Program Specific Information) と呼ばれる選局のために必要な情報における、特にＮＩＴ(Network Information Table) と呼ばれる情報テーブルが取得される。なお、ＰＳＩは、４種類のテーブルで構成されており、各テーブルは、ＭＰＥＧシステムに準拠した、セクション形式と称されるいう形式で表されている。この４つのテーブルの内の一つのＮＩＴには、全搬送波に同一内容が多重され、搬送波毎の伝送諸元（偏波面、搬送波周波数、畳み込みレート等）と、そこに多重されている全ディジタル送信チャンネルのリストが記述されている。
【００３０】
図３は、この発明の一実施形態における選局処理手順の一例を示すフローチャートである。なお、図３に示す処理は例えばホストプロセッサ５においてなされる。ユーザにより、操作入力部７等を介して、ディジタルケーブル放送において送信されていることが確認されているチャンネルを受信することができる受信パラメータがデフォルト値として入力される（ステップＳ１）。ステップＳ１によって入力されるチャンネルの受信パラメータに従って、チャンネル選局がなされる（ステップＳ２）。ステップＳ２によって選局されたチャンネルに係るトランスポート・ストリームからＮＩＴが分離・抽出され、このＮＩＴが不揮発性メモリ６に記憶されることにより、ＮＩＴの取得が完了する（ステップＳ３）。そして、選択したチャンネルに係る画音表示がなされる（ステップＳ４）。
【００３１】
その後、ユーザにより操作入力部７が操作され、チャンネル変更の指示がなされると、不揮発性メモリ６に記憶されているＮＩＴを参照して、チャンネル変更に係る新たなチャンネルの受信パラメータの確認がなされる（ステップＳ６）。そして、受信パラメータの変更が必要か否かが判定される（ステップＳ７）。受信パラメータの変更が必要であると判断される場合にはステップＳ８に移行し、それ以外の場合には、ステップＳ９に移行する。ステップＳ８では、フロントエンド部２に対する制御に係る例えばホストプロセッサ５内のレジスタの設定変更がなされ、さらに、ステップＳ９に移行する。ステップＳ９では、ステップＳ７の判定結果に応じて設定が変更または保持されたレジスタの制御情報に基づいて選局動作がなされ、その後、ステップＳ３に移行する。
【００３２】
以上のような処理により、チャンネル変更に伴って、フロントエンド部２に対する受信パラメータの設定がなされる。これにより、チャンネル変更に対応してディジタルケーブル放送信号の的確な受信が可能となる。このため、ユーザは、受信パラメータの変更を意識することなくシームレスにチャンネル変更することができる。また、送信側で周波数等の受信パラメータを変更しない限り、不揮発性メモリ６に保持されているＮＩＴを繰り返し参照することにより、上述したような的確な受信が常に可能とされる。従って、送信側で周波数等の受信パラメータの変更等が行われない限りは、ステップＳ１のデフォルト値入力を一度だけ行うことにより、全てのチャンネルを的確に受信することができる。すなわち、図３中で点線で囲んだステップＳ１およびステップＳ２は、送信側で周波数等の受信パラメータの変更等が行われない限り、一度だけ行なわれれば良い。
【００３３】
なお、電源切断時にステップＳ３において保持されたＮＩＴと共にステップＳ４の所定のチャンネルの画音表示の状態のデータを不揮発性メモリ６に格納し、再度の電源投入時に不揮発性メモリ６の格納データを読み出して前回電源オフ時の状態に復帰し、ステップＳ４からの処理が開始される。
【００３４】
また、送信側で何らかの理由で周波数等の受信パラメータを変更した場合には、ユーザに当該変更を告知して、当該変更に対応する新たなデフォルト値の入力、すなわち新たなデフォルト値の下でステップＳ１およびステップＳ２が行われることにより、受信不能となることが回避される。
【００３５】
さらに、ケーブル放送事業者によって未使用のチャンネルが異なるため、送信されるチャンネルが事業者によって不統一となる場合が想定されるが、そのような場合にも、図３を参照して上述した処理を行う場合には、何れの事業者にも対応することができる。
【００３６】
また、図３では、ステップＳ９を行った後にステップＳ３に移行してＮＩＴを再度取得する場合を図示したが、ステップＳ９の後にステップＳ４に移行するようにしても良い。この場合には、ステップＳ１、ステップＳ２と同様に、ステップＳ３も送信側で周波数等の受信パラメータの変更等が行われない限り、一度だけ行われれば良い。従って、処理手順が簡素化されるという長所があるが、視聴時に一部のチャンネルに係る受信パラメータの変更等が行わた場合に、新たなＮＩＴが取得できず、結果としてステップＳ１のデフォルト値入力を行う回数が増加する可能性があるという問題点も有する。
【００３７】
次に、この発明の他の実施形態について説明する。この発明の他の実施形態の全体的な構成は、上述したこの発明の一実施形態と同様である。図４に、この発明の一実施形態における選局処理手順動作の一例を示す。図３中の各ステップと同様の処理を行うステップには、同一の符号を付した。ステップＳ１１、ステップＳ１２、ステップＳ１３およびステップＳ１４において、図３に示した手順と同様に、ＮＩＴを取得するためのチャンネル選局がなされる。点線で囲んだこれらのステップは、図３の場合と同様に送信側で周波数等の受信パラメータの変更等が行われない限り、一度だけ行われれば良い。
【００３８】
すなわち、ステップＳ１１として周波数等の受信パラメータを初期化する。ステップＳ１２として、チャンネル選局を行う。さらに、ステップＳ１３に移行してチャンネル選局が的確に行われたか否かが判定される。チャンネル選局が的確に行われた場合には、ステップＳ３に移行する。それ以外の場合には、ステップＳ１４に移行してパラメータを変更する。
【００３９】
すなわち、例えば不揮発メモリ６等の所定のメモリに例えば出荷時に記憶された受信パラメータがステップＳ１４において順次設定される。そして、ステップＳ１２に移行し、ステップＳ１４で設定された受信パラメータの下でチャンネル選局がなされる。ここで、不揮発メモリ６等の所定のメモリには、ディジタルケーブル放送において使用される可能性があると想定される全ての周波数や変調方式等の組み合わせとしての受信パラメータを不揮発メモリ６等の所定のメモリに予め記憶される。このような処理によって、チャンネル選局が的確に行われたと判定されるまで、適切な受信パラメータに関するサーチが自動的になされる。
【００４０】
ステップＳ３以降の各ステップは、図３に示したこの発明の一実施形態における各ステップＳと同様である。すなわち、チャンネル選局が的確に行われたと判定された後の処理は、この発明の一実施形態と同様に、ＮＩＴを取得し、取得し、たＮＩＴに基づいてチャンネル変更等の操作に対して自動追従する処理がなされる。
【００４１】
この発明の他の実施形態は、上述したこの発明の一実施形態と比較して、デフォルト値の入力（ステップＳ１）をユーザが行う手間が省かれるという利点があるが、送信側の事情等に起因して、予め広い範囲の受信パラメータの変更等を想定する必要が生じ、その結果不揮発メモリ６等の所定のメモリとして大きなメモリ容量を有するものが必要とされて、コスト低減を妨げるおそれがある等の問題がある。
【００４２】
なお、上述したこの発明の一実施形態およびこの発明の他の実施形態においては、異なる変調方式として６４値ＱＡＭ、１２８値ＱＡＭ、２５６値ＱＡＭによって変調された信号が供給される場合について説明したが、この発明は、他の変調方式に対しても適用することができる。
【００４３】
上述したこの発明の一実施形態等は、外符号にリードソロモン符号を用い内符号に畳み込み符号を用いてなる連接符号として構成されるディジタルＣＳ放送信号の誤り訂正符号を使用するディジタル信号を受信するものであるが、これ以外の誤り訂正符号を使用するディジタル信号を受信する場合にも、この発明を適用することができる。すなわち、誤り訂正符号化の方法が互いに異なる複数種類のディジタル信号を取扱う場合にもこの発明を適用することができる。
【００４４】
また、１台の受信装置において、この発明の一実施形態における動作と、この発明の他の実施形態における動作とを共に行う機能を有するように構成し、これら２種類の動作の内の一方を選局モードとして選択するようにしても良い。
【００４５】
【発明の効果】
この発明によれば、ユーザによる入力により、または予めメモリに記憶された複数個の受信パラメータ中からの試行錯誤による選択により、ディジタルケーブル放送信号等のディジタル放送信号を受信するために使用可能な受信パラメータが設定され、このようにして設定される受信パラメータの下で受信されたディジタル放送信号中から取得されるＮＩＴ等の受信パラメータに係る情報に従って、チャンネルの切替処理に伴う受信パラメータの設定が自動的に行われる。
【００４６】
このため、例えばチャンネル毎に周波数、変調方式等の受信パラメータが異なる場合にも、１台のディジタル受信機で全てのチャンネルに対応した受信処理を的確に行うことができる。
【００４７】
また、チャンネル切り替え処理に伴う受信パラメータの変更等が取得されたＭＮＩＴ等に従って自動的になされ、シームレスなチャンネル変更が実現される。
【図面の簡単な説明】
【図１】ディジタルケーブル放送における変調方式について説明するための略線図である。
【図２】この発明の一実施形態の全体的な構成の一例を示すブロック図である。
【図３】この発明の一実施形態における選局処理について説明するためのフローチャートである。
【図４】この発明の他の実施形態における選局処理について説明するためのフローチャートである。
【符号の説明】
２・・・フロントエンド部、３・・・トランスポート部、５・・・ホストプロセッサ、６・・・不揮発性メモリ、７・・・操作入力部
【図１】
0004633208.tif 000002
【図２】
0004633208.tif 000003
【図３】
0004633208.tif 000004
【図４】
0004633208.tif 000005